(57)【要約】【課題】一又は複数の図形の中から、画像を選択し、選択された図形の属性が判定されることで、適切に図形を表示することができる画像表示装置等を提供する。【解決手段】文字を含む図形が配置された画像を表示可能な他の画像表示装置と通信可能な画像表示装置であって、図形を入力する図形入力手段と、前記入力された一又は複数の図形が配置された画像を表示する画像表示手段と、前記表示された画像の一部の領域を特定する領域特定手段と、前記特定された領域に含まれている図形を取得する図形取得手段と、前記取得された図形と、前記他の画像表示装置が図形を表示する場合に用いられる当該図形の属性とを、他の画像表示装置に表示させるために送信する図形送信手段と、を備える。【選択図】図１
2018026117.tif 000002
【特許請求の範囲】
【請求項１】
文字を含む図形を入力する図形入力手段と、
前記入力された一又は複数の図形が配置された画像を表示する画像表示手段と、
前記表示された画像の一部の領域を特定する領域特定手段と、
前記特定された領域に含まれている図形を取得する図形取得手段と、
前記取得された図形について、当該図形を表示する場合に用いられる図形の属性を判定する属性判定手段と、
前記取得された図形を、前記判定された図形の属性に基づいて表示する図形表示手段と、
を備えることを特徴とする画像表示装置。
【請求項２】
文字を含む図形が配置された画像を表示可能な他の画像表示装置と通信可能な画像表示装置であって、
図形を入力する図形入力手段と、
前記入力された一又は複数の図形が配置された画像を表示する画像表示手段と、
前記表示された画像の一部の領域を特定する領域特定手段と、
前記特定された領域に含まれている図形を取得する図形取得手段と、
前記取得された図形について、前記他の画像表示装置が図形を表示する場合に用いられる当該図形の属性を判定する属性判定手段と、
前記取得された図形と、当該図形の属性とを、他の画像表示装置に表示させるために送信する図形送信手段と、
を備えることを特徴とする画像表示装置。
【請求項３】
前記領域の属性を認識する領域認識手段を更に備え、
前記属性判定手段は、前記領域の属性に基づいて、前記図形の属性を判定することを特徴とする請求項１又は２に記載の画像表示装置。
【請求項４】
前記領域特定手段は、表示された画像の一部の領域を囲むことにより、領域を特定することを特徴とする請求項１又は２に記載の画像表示装置。
【請求項５】
前記領域の属性は、少なくとも領域の形状の情報、囲領域を描画するときに右回り或いは左回りでストロークを描画した情報、ストローク描画時の指又はペンの本数の情報、他の操作とともに囲領域が入力されたか否かの情報の何れかの情報から設定されることを特徴とする請求項４に記載の画像表示装置。
【請求項６】
前記領域の属性は、少なくとも画像表示装置を操作している利用者の情報、画像表示装置の入力部から入力された情報、画像表示装置が保有している情報の何れかの情報から設定されることを特徴とする請求項４に記載の画像表示装置。
【請求項７】
前記図形入力手段は、通常の入力モードと特定の入力モードとを切り替えて入力することが可能であり、
前記領域特定手段は、前記特定の入力モードで入力された図形が含まれるように、領域を特定することを特徴とする請求項１又は２に記載の画像表示装置。
【請求項８】
前記領域特定手段は、入力後、所定時間経過後に領域を特定することを特徴とする請求項７に記載の画像表示装置。
【請求項９】
前記図形の属性は、少なくとも大きさ、色、形状、重要度、所有者に関する情報の何れかであることを特徴とする請求項１又は２に記載の画像表示装置。
【請求項１０】
コンピュータに、
文字を含む図形を入力する図形入力機能と、
前記入力された一又は複数の図形が配置された画像を表示する画像表示機能と、
前記表示された画像の一部の領域を特定する領域特定機能と、
前記特定された領域に含まれている図形を取得する図形取得機能と、
前記取得された図形について、当該図形を表示する場合に用いられる図形の属性を判定する属性判定機能と、
前記取得された図形を、前記判定された図形の属性に基づいて表示する図形表示機能と、
を実現させるためのプログラム。
【請求項１１】
文字を含む図形が配置された画像を表示可能な他の画像表示装置と通信可能なコンピュータに、
図形を入力する図形入力機能と、
前記入力された一又は複数の図形が配置された画像を表示する画像表示機能と、
前記表示された画像の一部の領域を特定する領域特定機能と、
前記特定された領域に含まれている図形を取得する図形取得機能と、
前記取得された図形について、前記他の画像表示装置が図形を表示する場合に用いられる当該図形の属性を判定する属性判定機能と、
前記取得された図形と、当該図形の属性とを、他の画像表示装置に表示させるために送信する図形送信機能と、
を実現させるためのプログラム。
【請求項１２】
文字を含む図形が配置された画像を表示可能な第１の画像表示装置及び第２の画像表示装置を含む画像表示システムであって、
前記第１の画像表示装置は、
図形を入力する図形入力手段と、
前記入力された一又は複数の図形が配置された画像を表示する画像表示手段と、
前記表示された画像の一部の領域を特定する領域特定手段と、
前記特定された領域に含まれている図形を取得する図形取得手段と、
前記取得された図形について、前記他の画像表示装置が図形を表示する場合に用いられる当該図形の属性を判定する属性判定手段と、
前記取得された図形と、当該図形の属性とを第２の画像表示装置に送信する図形送信手段と、
を備え、
前記第２の画像表示装置は、前記第１の画像表示装置から受信された図形を表示することを特徴とする画像表示システム。
【請求項１３】
前記第２の画像表示装置は、前記第１の画像表示装置から受信された前記図形の属性に基づいて、前記図形を表示することを特徴とする請求項１２に記載の画像表示システム。
【請求項１４】
前記図形送信手段は、併せて環境情報を送信し、
前記第２の画像表示装置は、
前記第１の画像表示装置から受信された図形を表示するときに、併せて環境情報を表示することを特徴とする請求項１２に記載の画像表示システム。
【発明の詳細な説明】
【技術分野】
【０００１】
本発明は画像表示装置等に関する。
【背景技術】
【０００２】
近年、大型のディスプレイを設けた画像表示装置が普及しつつあることから、当該画像表示装置を電子黒板のように利用して、会議や授業が行われる場面が増えつつある。一方で、個人が所持する中小型の携帯端末も普及が進んでいることから、これを会議室や教室に設置された共用の大型画像表示装置と連携させることで、利用者間での情報共有や意見交換を円滑にし、会議や授業の利便性を向上するための試みが行われている。
【０００３】
このとき、各利用者は自分が利用しているタブレット状の端末装置から、上述した画像表示装置にメモを送信する発明が開示されている（例えば、特許文献１参照）。
【先行技術文献】
【特許文献】
【０００４】
【特許文献１】特開２０１０−２０５１３７号公報
【発明の概要】
【発明が解決しようとする課題】
【０００５】
近年利用者側の端末装置も大型化しており、複数のメモを記載し、必要に応じて画像表示装置に表示させたいという場合がある。しかし、従来は、送信するメモを記載するに過ぎず、端末装置で入力した複数の図形やメモの中から選択して送信するということはできなかった。
【０００６】
更に上記特許文献１では、貼り付けたメモの属性（例：色、大きさ、形状、重要度、所有者）を指定することはできず、このため、複数のメモが表示装置に貼り付けられた場合には、同様の形状のメモが複数表示されて見づらい・重要なメモとそうでないメモが混在して見づらい・誰が書いたメモか区別できない、という課題があり、円滑な意見交換や情報共有を進める上で障害があった。
【０００７】
また、画像表示装置が大型化していることから、例えばテーブルとして画像表示装置が利用され、その場で入力するといった利用方法が提案されている。このような場合に、手書きされたメモに属性を付する場合、メニューやアイコンからその都度選択する必要があり、使い勝手が悪いといった問題が生じていた。
【０００８】
上述した課題を解決するために、本発明は、表示された一又は複数の図形の中から図形が選択され、当該選択された図形の属性が判定され、当該属性に基づいて適切に図形を表示させることができる画像表示装置等を提供することである。
【課題を解決するための手段】
【０００９】
上述した課題を解決するために、本発明の画像表示装置は、
文字を含む図形を入力する図形入力手段と、
前記入力された一又は複数の図形が配置された画像を表示する画像表示手段と、
前記表示された画像の一部の領域を特定する領域特定手段と、
前記特定された領域に含まれている図形を取得する図形取得手段と、
前記取得された図形について、当該図形を表示する場合に用いられる図形の属性を判定する属性判定手段と、
前記取得された図形を、前記判定された図形の属性に基づいて表示する図形表示手段と、
を備えることを特徴とする。
【００１０】
本発明の画像表示装置は、
文字を含む図形が配置された画像を表示可能な他の画像表示装置と通信可能な画像表示装置であって、
図形を入力する図形入力手段と、
前記入力された一又は複数の図形が配置された画像を表示する画像表示手段と、
前記表示された画像の一部の領域を特定する領域特定手段と、
前記特定された領域に含まれている図形を取得する図形取得手段と、
前記取得された図形について、前記他の画像表示装置が図形を表示する場合に用いられる当該図形の属性を判定する属性判定手段と、
前記取得された図形と、当該図形の属性とを、他の画像表示装置に表示させるために送信する図形送信手段と、
を備えることを特徴とする。
【００１１】
本発明のプログラムは、コンピュータに、
文字を含む図形を入力する図形入力機能と、
前記入力された一又は複数の図形が配置された画像を表示する画像表示機能と、
前記表示された画像の一部の領域を特定する領域特定機能と、
前記特定された領域に含まれている図形を取得する図形取得機能と、
前記取得された図形について、当該図形を表示する場合に用いられる図形の属性を判定する属性判定機能と、
前記取得された図形を、前記判定された図形の属性に基づいて表示する図形表示機能と、
を実現させることを特徴とする。
【００１２】
本発明のプログラムは、文字を含む図形が配置された画像を表示可能な他の画像表示装置と通信可能なコンピュータに、
図形を入力する図形入力機能と、
前記入力された一又は複数の図形が配置された画像を表示する画像表示機能と、
前記表示された画像の一部の領域を特定する領域特定機能と、
前記特定された領域に含まれている図形を取得する図形取得機能と、
前記取得された図形について、前記他の画像表示装置が図形を表示する場合に用いられる当該図形の属性を判定する属性判定機能と、
前記取得された図形と、当該図形の属性とを、他の画像表示装置に表示させるために送信する図形送信機能と、
を実現させることを特徴とする。
【００１３】
本発明の画像表示システムは、
文字を含む図形が配置された画像を表示可能な第１の画像表示装置及び第２の画像表示装置を含む画像表示システムであって、
前記第１の画像表示装置は、
図形を入力する図形入力手段と、
前記入力された一又は複数の図形が配置された画像を表示する画像表示手段と、
前記表示された画像の一部の領域を特定する領域特定手段と、
前記特定された領域に含まれている図形を取得する図形取得手段と、
前記取得された図形について、前記他の画像表示装置が図形を表示する場合に用いられる当該図形の属性を判定する属性判定手段と、
前記取得された図形と、当該図形の属性とを第２の画像表示装置に送信する図形送信手段と、
を備え、
前記第２の画像表示装置は、前記第１の画像表示装置から受信された図形を表示することを特徴とする。
【発明の効果】
【００１４】
本発明によれば、画像表示装置において、一又は複数の図形が配置された画像が表示されており、表示された画像から一部の領域が特定される。そして、特定された領域に含まれている図形について、当該図形を表示する場合に用いられる図形の属性を判定する。そして、当該取得された図形を、判定された図形の属性に基づいて表示することができるようになる。
【図面の簡単な説明】
【００１５】
【図１】第１実施形態におけるシステム全体を説明するための図である。
【図２】第１実施形態における端末装置の機能構成を説明するための図である。
【図３】第１実施形態における表示装置の機能構成を説明するための図である。
【図４】第１実施形態における処理の概要を説明するための図である。
【図５】第１実施形態における端末装置と表示装置との処理の流れを説明するシーケンス図である。
【図６】第１実施形態における動作例を説明するための図である。
【図７】第２実施形態における端末装置の記憶部の構成を説明するための図である。
【図８】各実施形態における付箋データ属性判定テーブルのデータの構造の一例である。
【図９】第２実施形態における端末装置と表示装置との処理の流れを説明するシーケンス図である。
【図１０】第２実施形態における動作例を説明するための図である。
【図１１】第４実施形態における動作例を説明するための図である。
【図１２】第５実施形態における端末装置と表示装置との処理の流れを説明するシーケンス図である。
【図１３】第６実施形態における動作例を説明するための図である。
【図１４】第７実施形態における端末装置の処理の流れを説明する為のフロー図である。
【図１５】第７実施形態における動作例を説明するための図である。
【図１６】第８実施形態における端末装置の処理の流れを説明する為のフロー図である。
【図１７】第８実施形態における動作例を説明するための図である。
【図１８】第９実施形態における動作例を説明するための図である。
【図１９】第１０実施形態における動作例を説明するための図である。
【図２０】第１３実施形態における動作例を説明するための図である。
【図２１】第１４実施形態における動作例を説明するための図である。
【図２２】第１５実施形態における処理フローを説明するための図である。
【図２３】第１５実施形態における動作例を説明するための図である。
【図２４】第１５実施形態における動作例を説明するための図である。
【図２５】第１６実施形態における処理フローを説明するための図である。
【図２６】第１６実施形態における処理フローを説明するための図である。
【図２７】第１７実施形態における処理フローを説明するための図である。
【発明を実施するための形態】
【００１６】
以下、本発明の画像表示装置を用いた画像表示システム１について説明する。なお、各実施形態は本発明を説明する都合上記載したものであり、本発明の範囲が以下の実施形態に限定されるものではない。
【００１７】
［１．第１実施形態］
［１．１  システム構成］
まず、第１実施形態について説明する。第１実施形態は、画像表示装置として、タブレット等の可搬型の表示装置である端末装置１０と、大型のディスプレイ等の据え置き型の表示装置２０とを含んで構成されている。
【００１８】
端末装置１０と、表示装置２０とは、接続可能に構成されている。例えば、本実施形態では、ＬＡＮ（無線ＬＡＮ、有線ＬＡＮ）を介して通信可能に接続されている。接続方法としては、他にもＢｌｕｅｔｏｏｔｈ（登録商標）や、ＺｉｇＢｅｅ（登録商標）といった近距離無線通信等で接続されても良い。すなわち、端末装置１０と、表示装置２０とが通信可能な接続方式であれば方法を問わないこととする。
【００１９】
［１．２  機能構成］
続いて、機能構成について図に基づいて説明する。
【００２０】
［１．２．１  端末装置］
まず、端末装置１０の機能構成について、図２に基づいて説明する。端末装置１０は、制御部１００と、表示部１１０と、タッチ検出部１２０と、画像処理部１３０と、通信部１４０と、記憶部１５０とを備えて構成される。
【００２１】
制御部１００は、端末装置１０の全体を制御するための機能部である。制御部１００は、記憶部１５０に記憶されている各種プログラムを読み出して実行することにより各種機能を実現しており、例えばＣＰＵ（Central Processing Unit）等により構成されている。
【００２２】
表示部１１０は、各種コンテンツ等を表示する機能部である。例えば、ＬＣＤ（liquid crystal display：液晶ディスプレイ）や、有機ＥＬディスプレイ等により構成されている。また、表示部１１０には、表示領域全体に全体画像が表示されており、当該全体画像に図形が表示されている。
【００２３】
タッチ検出部１２０は、利用者からのタッチ操作を検出することにより、操作入力を実現するための機能部である。例えば、表示部１１０と一体に構成されてタッチパネル等により実現される。タッチ操作を検出方法としては、静電容量方式、電磁誘導方式、赤外線方式といった何れかの方法を用いて検出できれば良い。また、検出箇所としても、１点であっても良いし、複数点検出可能であっても良い。
【００２４】
また、タッチ検出部１２０により、図形が入力されることとなる。例えば、利用者から入力されたタッチされた座標を検出し、検出された座標からストローク情報が記憶される。そして、ストローク情報に基づいて図形を認識して、図形データ１５２に記憶される。また、当該図形は、そのまま全体画像に表示されることとなる。
【００２５】
画像処理部１３０は、画像処理を実現するための機能部である。画像処理部１３０としては、例えば、入力された図形（手書き文字）から文字認識を行ってテキスト文字を出力したり、表示されている全体画像の中から囲領域の画像を切り出したりといった、各種画像処理が実現される。また、ストローク情報から図形に変換したり、ベクトルデータをラスタデータに変換したりする処理を行う。
【００２６】
この画像処理部１３０は、必要に応じて処理毎にプログラムとして記憶部１５０に記憶され、必要に応じて読み出されて実行されることにより、実現されてもよい。
【００２７】
通信部１４０は、端末装置１０が通信を行う為の機能部である。例えば、ＩＥＥＥ８０２．１１ａ／ｂ／ｇ／ｎといった無線ＬＡＮを利用したり、Ｂｌｕｅｔｏｏｔｈ等の近距離無線通信を利用したりする。なお、ＬＴＥ通信等により一般的な通信を行っても良い。
【００２８】
記憶部１５０は、端末装置１０の動作に必要な各種プログラムや、各種データが記憶されている機能部である。記憶部１５０は、例えば、半導体メモリや、ＨＤＤ（Hard Disk Drive）等により構成されている。
【００２９】
また、記憶部１５０には、各種プログラムの他に、図形データ１５２と、付箋画像データ１５４とが記憶されている。
【００３０】
図形データ１５２は、手描き入力される（例えば、ストローク描画される）ことにより記憶されたストローク情報に基づく手書き文字、手書き図形や、他の入力装置（例えば、スキャナ等）から入力された画像、他の装置から受信されて記憶される画像が記憶されている。
【００３１】
例えば、利用者により手書き入力されたストローク情報が集まることにより、一つのグループ化された図形として記憶される。また、スキャナ、デジタルカメラや、画像ファイル等からＪＰＥＧデータや、ＢＭＰデータといった画像ファイルが記憶される。
【００３２】
ここで、本明細書における図形とは、文字、記号を含む概念である。ここで文字（記号）は、利用者がタッチペンや手、マウス等で書いた文字である手書き文字と、ＡＳＣＩＩコードやＪＩＳコード、Ｕｎｉｃｏｄｅ等で示されるテキスト文字とが含まれる。
【００３３】
したがって、図形データ１５２には、キーボード等の入力手段で入力されたテキスト文字（列）や、受信されたテキスト文字（列）等が記憶される。この場合、例えばテキスト文字（列）と、表示領域の位置する座標、テキスト領域としての座標も併せて記憶されても良い。
【００３４】
また、図形は、複数の文字である文字列からなる場合もある。すなわち、手書き入力された場合には、第１の時間間隔で入力されたストロークが一つの手書き文字として認識される。また、この手書き文字が連続して入力されることにより、手書き文字列として認識される。これらが、図形として図形データ１５２に記憶される。
【００３５】
また、各図形は、表示部１１０の表示領域における座標を記憶していてもよい。そして、各図形が座標にしたがって表示されることにより、全体画像として表示部１１０に表示されることとなる。
【００３６】
付箋画像データ１５４は、利用者により図形から一部切り出して生成されるデータである。切り出された一又は複数の図形を付箋画像データと記憶されていても良いし、全体画像から切り抜いた画像を付箋画像データと記憶しても良い。また、切り出した図形がベクトルデータや、ストローク情報に基づく図形の場合には、一度ラスタデータに変換して切り抜いても良い。
【００３７】
［１．２．２  表示装置］
つづいて、表示装置２０の機能構成について図３に基づいて説明する。図３に示すように、表示装置２０は、制御部２００と、表示部２１０と、操作入力部２２０と、通信部２４０と、記憶部２５０とを備えて構成されている。
【００３８】
制御部２００は、表示装置２０の全体を制御するための機能部である。制御部２００は、記憶部２５０に記憶されている各種プログラムを読み出して実行することにより各種機能を実現しており、例えばＣＰＵ（Central Processing Unit）等により構成されている。
【００３９】
表示部２１０は、各種コンテンツ等を表示する機能部である。例えば、ＬＣＤ（liquid crystal display：液晶ディスプレイ）や、有機ＥＬディスプレイ等により構成されている。また表示部２１０には全体画像が表示されており、その中に図形が表示される。
【００４０】
操作入力部２２０は、利用者からの操作入力を実現するための機能部である。例えば、外付けのキーボードやマウス、表示部２１０と一体に構成されてタッチパネル等により実現される。タッチ操作を検出方法としては、静電容量方式、電磁誘導方式、赤外線方式といった何れかの方法を用いて検出できれば良い。また、検出箇所としても、１点であっても良いし、複数点検出可能であっても良い。
【００４１】
通信部２４０は、表示装置２０が通信を行う為の機能部である。例えば、ＩＥＥＥ８０２．１１ａ／ｂ／ｇ／ｎといった無線ＬＡＮを利用したり、Ｂｌｕｅｔｏｏｔｈ等の近距離無線通信を利用したりする。
【００４２】
記憶部２５０は、表示装置２０の動作に必要な各種プログラムや、各種データが記憶されている機能部である。記憶部２５０は、例えば、半導体メモリや、ＨＤＤ（Hard Disk Drive）等により構成されている。
【００４３】
また、記憶部２５０には、各種プログラムの他に、図形データ２５２と、付箋画像データ２５４と、付箋データ２５６とが記憶されている。
【００４４】
図形データ２５２は、表示装置２０において入力された図形と、端末装置１０から受信された図形とが記憶される。記憶された図形データが、表示部２１０の表示領域に表示されることとなる。図形データ２５２は、図形データ１５２と同一の種類のデータで記憶されるため、詳細な説明は省略する。
【００４５】
また、端末装置１０から受信されるのが付箋画像データ２５４である。付箋画像データ２５４に基づいて、付箋データ２５６が生成されて記憶される。
【００４６】
ここで、本実施形態で説明する付箋データとは、図形を一つのまとまりとして管理可能にするデータである。付箋データは、単に表示させるだけでなく、色を変えたり、表示領域内において移動して表示させたりするといったことも可能である。
【００４７】
付箋データとして含まれるものは、付箋画像データに含まれる図形であっても良いし、手書き文字から変換されたテキスト文字であっても良い。また、付箋データは、表示／非表示を切り替えられたり、貼り付け、削除といったことが自由に行えることとしてもよい。
【００４８】
また付箋データは、表示されている他のコンテンツ（例えば、図形や画像）に重畳的に表示されても良いし、単独で表示されても良い。
【００４９】
［１．３  処理の流れ］
続いて本実施形態における処理の流れについて図に基づいて説明する。
【００５０】
［１．３．１  処理の概要］
まず、本実施形態における付箋データの生成について説明する。ここでは、端末装置１０において実行される場合について説明するが、表示装置２０において実行されてもよい。また、後述するように、処理によって端末装置１０と、表示装置２０とで切り分けて実行されても良い。
【００５１】
まず、図４（ａ）は、図形として手書き文字列Ｂ１０「締切り」が表示されている。手書き文字列Ｂ１０は、表示部１１０の表示領域上に表示されている。
【００５２】
利用者により、この手書き文字列Ｂ１０を囲むように選択（特定）される。このとき選択されることにより、特定された領域を囲領域Ｒ１０とする。すなわち、このストロークは、手書き文字列Ｂ１０を囲むように形成されているため、付箋選択入力であることが認識される。
【００５３】
付箋選択入力であることが認識されると、当該手書き文字列Ｂ１０を含むように囲領域の座標が取得される。この囲領域の座標は、図４（ｂ）の領域Ｒ１２の座標である。この領域Ｒ１２に含まれている手書き文字列Ｂ１０が付箋画像データＴ１０として認識される（図４（ｃ））。
【００５４】
付箋画像データＴ１０と認識されたデータは、他の装置に送信可能である。また、付箋画像データＴ１０から、付箋データＨ１０に変換されたのが図４（ｄ）である。本図においては、付箋データＨ１０と変換されたことにより、手書き文字列「締切り」は、テキスト文字列「締切り」に変換されている。テキスト文字列に変換されることにより、テキスト文字の追加、編集といったことが可能となる。また、付箋データには、色情報、形状、所用者、大きさといった付箋の属性（付箋に付随する情報）が記憶されている。
【００５５】
また、囲領域で選択される図形は複数であっても良い。この場合、図形毎に付箋データを表示することとしても良いし、まとめて一つの付箋データとして表示することとしても良い。また、異なる種類の図形（例えば、文字と画像）が選択された場合は、図形毎に付箋データを表示したり、付箋選択入力をキャンセルしたりしても良い。
【００５６】
［１．３．２  シーケンス図］
続いて第１実施形態について、図５に基づいて説明する。図５は、付箋データに基となる付箋画像データを送信する送信側の処理と、受信する受信側の処理を表したシーケンス図である。本実施形態では、送信側として端末装置１０を、受信側として表示装置２０を例に説明する。
【００５７】
まず、端末装置１０で手書き入力が検知された場合（ステップＳ１０２；Ｙｅｓ）、入力座標を取得する（ステップＳ１０４）。そして取得された座標をストローク情報として記憶する（ステップＳ１０６）。
【００５８】
ここで、囲領域を形成していない場合は（ステップＳ１０８；Ｎｏ）、この記憶されたストローク情報は、図形として図形データ１５２に記憶される。このストローク情報から、例えば手書き文字（列）として記憶されたり、線分等として記憶されたりする方法については、何れかの従来技術を利用すれば良い。
【００５９】
ここで、ストロークが囲領域を形成している場合には（ステップＳ１０８；Ｙｅｓ）、付箋選択入力と判定し、囲領域の座標を取得する（ステップＳ１１０）。
【００６０】
ここで、囲領域の座標としては、例えば囲領域を含む座標を抽出すれば良い。また、ここで、囲領域の位置が所定の位置か否かを判定しても良い（ステップＳ１１２）。具体的には、例えば入力可能領域のうち、付箋選択入力として認識可能な位置を設定しておき、当該位置で囲領域が形成された場合には付箋選択入力として認識しても良い。
【００６１】
また、表示領域全体において処理を実行する場合には、ステップＳ１１２の判定は行われなくても良い。すなわち、ステップＳ１１０の次にステップＳ１１４に処理を進めても良い。
【００６２】
続いて、囲領域に基づいて付箋画像データを取得する（ステップＳ１１２；Ｙｅｓ→ステップＳ１１４）。すなわち、囲領域に含まれる図形を取得し、付箋画像データとして取得する。そして、取得された付箋画像データを受信側である表示装置２０に送信する（ステップＳ１１６）。
【００６３】
受信側である表示装置２０は、付箋画像データを受信すると（ステップＳ１５０）、付箋画像データに基づいて付箋データに変換する（ステップＳ１５２）。具体的には、付箋データに手書き文字（列）が含まれている場合には、テキスト文字（列）に変換する処理を行う。なお、そのまま手書き文字（列）として表示しても良い。
【００６４】
続いて、付箋データの表示位置を決定し（ステップＳ１５４）、付箋データを表示する（ステップＳ１５６）。
【００６５】
付箋データの表示位置の決定の仕方としては複数の方法が考えられる。まず、初期設定として付箋データを表示する位置を決めておき、当該初期設定の位置に付箋データを表示する方法が考えられる。他にも、付箋画像データを送信した端末装置１０によって、付箋データの表示位置を決めても良い。例えば、画面を４等分し、端末毎に表示するエリアを決めてもよい。
【００６６】
［１．４  動作例］
続いて、本実施形態における動作例について図６を用いて説明する。図６（ａ）は、端末装置１０の表示領域に、２つの図形が表示されている。手書き文字列Ｂ１００「アイデア」と、手書き文字列Ｂ１１０「締切り」が表示されている。
【００６７】
このとき、利用者によって、矩形Ｒ１００が入力される。この入力が囲領域であることから、付箋選択入力であると認識される。矩形Ｒ１００に含まれている手書き文字列Ｂ１００が、付箋画像データとして取得されることとなる。
【００６８】
この付箋画像データが、端末装置１０から表示装置２０に送信される。表示装置２０は、付箋画像データに基づいて付箋データＨ１００を表示する。付箋データＨ１００においては、手書き文字列「アイデア」は、テキスト文字列「アイデア」に変換されて表示されている。
【００６９】
この付箋データＨ１００は、利用者により自由に移動することが可能であり、大きさを変えることも可能である。また、本実施形態のように、テキスト文字に変換されることで、文字（列）の編集を行うことも可能である。
【００７０】
このように、本実施形態によれば、利用者は必要な図形を囲む操作を行うことで、一の画像表示装置で入力された図形を、他の画像表示装置に付箋データとして送信し、表示することができる。
【００７１】
これにより、例えば利用者が自分で使っている端末装置（例えば、タブレット等の画像表示装置）を利用して入力操作を行うことができる。また、複数の利用者がいた場合であっても、各端末装置から図形を入力し、送信することが可能となる。
【００７２】
［２．第２実施形態］
第２実施形態について説明する。第２実施形態は、付箋選択入力において、選択入力の方法に基づいて付箋データの属性についても認識する処理である。すなわち、選択入力された領域（囲領域）の属性に応じて、付箋データの属性が認識される。
【００７３】
なお、本実施形態におけるシステムの構成は上述した第１実施形態と同じであり、その構成等の説明は省略する。本実施形態では、第１実施形態と異なる箇所を中心に説明する。
【００７４】
［２．１  データ構成］
図７は、第１実施形態における記憶部１５０を、記憶部１５０ｂに置き換えるものである。図７に示すように、記憶部１５０ｂには、図形データ１５２と、付箋画像データ１５４と、付箋データ属性判定テーブル１５６とが記憶されている。
【００７５】
付箋データ属性判定テーブル１５６は、付箋選択入力として入力される囲領域の属性、本実施形態では囲領域ストローク（形状）に応じて、付箋データの属性を記憶しているテーブルである。例えば、図８（ａ）に示すように、領域の属性であるストローク形状（例えば、「円形」）に対応づけて、付箋データの属性（例えば、色として「赤」）が記憶されている。
【００７６】
なお、本実施形態では、付箋データの属性として色を例に説明するが、例えば大きさ（フォントサイズ）や、フォントの種類、付箋データの境界色といった他の表示パターンを記憶しても良い。
【００７７】
［２．２  処理の流れ］
本実施形態の処理の流れを図９のシーケンス図に基づいて説明する。なお、第１実施形態と同一の処理には、同一の符号を付してその説明を省略する。
【００７８】
検出されたストロークが囲領域であり、付箋選択入力と判定された場合には（ステップＳ１０２〜ステップＳ１１２；Ｙｅｓ）、囲ったストロークの形状を判定し（ステップＳ２０２）、当該判定されたストロークの形状に基づいて付箋データの属性（付箋データ属性）を判定する（ステップＳ２０４）。具体的には、付箋データ属性判定テーブル１５６に基づいて付箋データ属性を判定する。
【００７９】
続いて、囲領域に基づいて、付箋画像データを取得する（ステップＳ１１４）。その後、取得した付箋画像データと、付箋データ属性とを表示装置２０に送信する（ステップＳ２０６）。なお、他の情報（例えば、付箋の大きさ等の種々の情報）と、付箋データ属性とを含めた付箋付加情報として送信しても良い。
【００８０】
また、本実施形態における処理の流れは一例であり、データに矛盾が生じない範囲で前後しても良い。例えば、最初に囲領域に基づいて付箋画像データを取得した後に、付箋データ属性を判定しても良い（ステップＳ２０６→ステップＳ２０４）。
【００８１】
表示装置２０は、付箋画像データと付箋データ属性とを受信する（ステップＳ２５２）。この後、付箋データに変換し、付箋データ表示位置を決定する（ステップＳ１５２→Ｓ１５４）。
【００８２】
そして、受信された付箋データ属性に基づいて、付箋データの属性を決定する（ステップＳ２５４）。そして、決定された付箋データの属性に基づいて、付箋データを表示する（ステップＳ２５６）。
【００８３】
［２．３  動作例］
第２実施形態の動作例について、図１０に基づいて説明する。図１０（ａ）は、第１実施形態において、端末装置１０から送信された付箋画像データに基づく付箋データＨ１００が、表示装置２０に表示されている図である。
【００８４】
この状態で、手書き文字列Ｂ１１０である「締切り」が、ストロークで示された囲領域Ｒ１１０で選択されている。この場合、手書き文字列Ｂ１１０を含む付箋画像データが取得され、表示装置２０に送信される。また、このとき、併せて付箋データの属性が送信される。
【００８５】
表示装置２０は、受信された付箋画像データから変換された付箋データＨ１１０が表示されているのが図１０（ｂ）である。第１実施形態の付箋データＨ１００のように、囲領域のストロークの形状が矩形である場合と、本実施形態の付箋データＨ１１０のように、囲領域のストロークの形状が円形である場合とで付箋データの属性が変化している。すなわち、付箋データＨ１００と、付箋データＨ１１０とでは異なる色で表示されている。
【００８６】
このように、本実施形態によれば、利用者が図形を選択するときに選択する形状を切り替えることで、付箋データの属性を容易に切り替えることが可能となる。
【００８７】
また、付箋データの属性を決定する囲領域のストロークの形状と、付箋データの属性とは、利用者が任意に設定することとしても良い。これにより、好きな形状に、好きな属性（例えば、色）を割り当てることが可能となる。
【００８８】
また、付箋データ属性判定テーブル１５６は、表示装置２０に記憶し、付箋データの属性判定を表示装置２０で行っても良い。すなわち、端末装置１０から、付箋画像データと、囲領域のストローク情報が表示装置２０に送信される。そして、表示装置２０において、当該送信された情報から、付箋データの属性を判定することとしても良い。
【００８９】
［３．第３実施形態］
第３実施形態について説明する。第３実施形態は、付箋データの属性として、色等の表示属性について設定したが、内容的な属性を設定しても良い。
【００９０】
第３実施形態は、第２実施形態において、図８（ａ）の付箋データ属性判定テーブル１５６を、図８（ｂ）の付箋データ属性判定テーブルに置き換えたものである。
【００９１】
すなわち、ストローク形状に対応づけて、属性（例えば、重要度として「高」）が記憶されることとする。すなわち、付箋データの属性として、重要度といった内容的な属性を付加することが可能である。これらの属性は、例えば「消去可能」「消去不可」といった属性や、所有者を示す属性（例えば、円形の場合はＡさん、矩形の場合はＢさん）といったものであってもよい。
【００９２】
当該決定された付箋データの属性に応じて、付箋データが表示される（図９のステップＳ２５４→Ｓ２５６）。これにより、付箋データは、付箋データ属性に応じた挙動を行うことになる。例えば、重要度が「高」の付箋データは「消去不可」と設定されている場合、当該付箋データについて利用者は消去することができないといったことになる。
【００９３】
また、表示装置２０は、これらの属性に応じて表示形式を変更しても良い。例えば、重要度が高いものは「赤」で表示したり、「大きく」表示したりしても良い。
【００９４】
このように、本実施形態によれば、単なる表示以外についても、描画パターンに基づいて、付箋データの属性を容易に付すことが可能となる。
【００９５】
［４．第４実施形態］
第４実施形態について説明する。第４実施形態は付箋データに属性を付す場合に、ストロークの形状ではない、囲領域の属性に基づいて設定する。
【００９６】
第４実施形態は、第３実施形態において、図８（ｂ）の付箋データ属性判定テーブル１５６を、図８（ｃ）の付箋データ属性判定テーブルに置き換えたものである。すなわち、囲領域の属性として、例えば「右回り」「左回り」といった属性に応じて、付箋データの属性（本実施形態では所有者「Ａ」）とが対応づけられている。
【００９７】
例えば、囲領域の属性として、他にも例えば「２本指で囲領域のストロークが検出された」や、「他の操作と共に囲領域が入力された」といったことを設定することも可能である。
【００９８】
また、付箋データの属性としては、上述したように、大きさや、色、重要度といった他の属性が設定されても良い。
【００９９】
例えば、第４実施形態の動作例を図１１に示す。端末装置１０には、手書き文字列Ｂ２００と、手書き文字列Ｂ２１０とが表示されている。そして、手書き文字列Ｂ２００は、右回りに囲領域Ｒ２００が選択され、手書き文字列Ｂ２１０は左回りに囲領域Ｒ２１０が選択されている。
【０１００】
ここで、囲領域により選択され、変換された付箋データが表示装置２０に表示されている。付箋データＨ２００と、付箋データＨ２１０とは属性が異なっているため、表示も異なったものとなっている。
【０１０１】
このように、本実施形態によれば、付箋選択入力が行われるときの、囲領域の選択の仕方に応じて、付箋データの属性を容易に変更することが可能となる。
【０１０２】
［５．第５実施形態］
第５実施形態は、付箋データの認識を表示装置２０側で行う場合の実施形態である。本実施形態については、第１実施形態の図５で示した処理フローを、図１２で置き換えた実施形態である。図１２に基づいて、本実施形態の処理の流れについて説明する。
【０１０３】
端末装置１０において、図形を含む画像が表示されている。この中から、付箋データとした図形を、囲領域で選択して、表示装置２０に画像データを送信する（ステップＳ３０２）。
【０１０４】
表示装置２０は、画像データを受信すると（ステップＳ３１０）、受信された画像データから、図形認識処理を実行し（ステップＳ３１２）、画像から図形を取得する。
【０１０５】
ここで、画像から図形を取得する方法としては種々の方法が考えられるが、画像データと共にストローク情報が送信されている場合にはストローク情報を参照して図形を認識する。また、画像がベクトルデータであった場合は、ベクトルデータを参照して図形を認識する。また、ラスタデータであった場合には、図形の形状から図形を認識する。
【０１０６】
ここで、認識された図形の中に所定の図形データが検出された場合、検出された図形の形状を判定する（ステップＳ３１４；Ｙｅｓ→ステップＳ３１６）。例えば、囲領域の形状を検出したり、囲領域の中に他の図形が含まれている場合の図形の形状を検出したりする。そして、検出された形状は、付箋選択入力であると判定し、検出された領域に含まれる図形を、付箋画像データとして取得する（ステップＳ３１８）。
【０１０７】
そして、付箋画像データから付箋データに変換し、付箋データの表示位置を決定し（ステップＳ３２０）、付箋データの属性を決定する（ステップＳ３２２）。そして、変換された付箋データ、付箋データの表示位置、属性に基づいて付箋データを表示する（ステップＳ３２４）。
【０１０８】
そして、画像に含まれる付箋データを全て表示していない場合には処理を繰り返し実行し（ステップＳ３２６；Ｎｏ→ステップＳ３１６）、表示された場合には本処理を終了する（ステップＳ３２６；Ｙｅｓ）。
【０１０９】
このように本実施形態によれば、端末装置１０から一括して画像を送信することにより、必要な付箋データを表示装置２０で表示することができる。その都度付箋画像データを送信する必要が無くなり、端末装置１０、表示装置２０間の通信のトラフィックを減らすことが可能となる。また、端末装置１０より表示装置２０の方が処理能力が高い場合には、一括して処理できるという効果が期待できる。
【０１１０】
［６．第６実施形態］
続いて、第６実施形態について説明する。第６実施形態は、付箋選択入力として選択される囲領域に基づいて付箋画像データを取得する場合、囲領域から外れていても、同じ図形グループの場合は、付箋画像データとして取得する場合の実施形態である。
【０１１１】
本実施形態では、第１実施形態の図５の処理フローのステップＳ１１４において、囲領域に基づいて付箋画像データを取得している。すなわち、第１実施形態は囲領域に含まれる図形を付箋画像データとして取得した。
【０１１２】
本実施形態は、当該図形の一部が囲領域に含まれている場合は、当該図形を付箋画像データとして取得することとする。
【０１１３】
図１３を参照して説明する。図１３の手書き文字列Ｂ４００は、「アイデア」で一つの図形を構成している。すなわち、ストローク情報に基づいて、「ア」等の手書き文字が構成されている。そして、手書き文字「イ」「デ」「ア」が集まり、手書き文字列「アイデア」が構成されている。
【０１１４】
ここで、囲領域Ｒ４００には、「アイデ」の部分が含まれている。しかし、「アイデ」が含まれる図形は手書き文字列Ｂ４００「アイデア」である。したがって、この場合、「アイデア」の図形が囲領域に含まれる図形として取得される。
【０１１５】
そして、表示装置２０の表示画面には、付箋データＨ４００として「アイデア」が表示されることとなる。すなわち、手書き文字列「アイデア」から、テキスト文字列「アイデア」に変換され、付箋データとして表示されることになっている。
【０１１６】
このように、本実施形態によれば、利用者が手書き文字列を初めとする図形を選択する場合、当該図形が含まれる領域を選択すれば良い。
【０１１７】
［７．第７実施形態］
第７実施形態について説明する。第７実施形態は、囲領域により選択された付箋画像データについて、送信前に選択動作を行う場合の実施形態である。
【０１１８】
第７実施形態は、第１実施形態において図５で示した端末装置１０の処理を、図１４の処理フローに置き換えた実施形態である。なお、図５と同一の処理については、同一の符号を付してその説明を省略する。
【０１１９】
囲領域に基づいて付箋画像データを取得した後（ステップＳ１１４）、囲領域に対するタッチ操作があったか否かを判定する（ステップＳ５０２）。ここで、タッチ操作があった場合は取得した付箋画像データを表示装置２０に送信する（ステップＳ１１６）。
【０１２０】
本実施形態における動作例を図１５に示す。図１５（ａ）は、囲領域Ｒ５００により、手書き文字列Ｂ５００が選択されている。この時点で、利用者が囲領域Ｒ５００の中をタッチする（タップ操作する）と、付箋画像データが表示装置２０に送信される。これにより、図１５（ｂ）に示すように付箋データＨ５００が表示される。
【０１２１】
このように、本実施形態によれば、囲領域により付箋画像データが選択された後に利用者が任意のタイミングで付箋画像データを送信することができる。これにより、例えば、複数の付箋データを表示する場合に、利用者が好きな順序で表示させたりすることが可能となる。
【０１２２】
なお、ステップＳ５０２の処理としては、ステップＳ１１４の後に実行しているのは一例であり、例えばステップＳ１１４の前に実行しても良い。すなわち、タッチ操作が検出された後に、付箋画像データが取得されることとしても良い。
【０１２３】
また、ステップＳ５０２が検出タイミングとしては所定の時間タイミングを判断しても良い。例えば、５秒以内にタッチ操作がなければ付箋画像データはキャンセル（選択されなかったことなる）としても良い。
【０１２４】
［８．第８実施形態］
第８実施形態について説明する。第８実施形態は、囲領域により選択された付箋画像データについて、送信前にキャンセル動作を行う場合の実施形態である。
【０１２５】
第８実施形態は、第１実施形態において図５で示した端末装置１０の処理フローを、図１６の処理フローに置き換えた実施形態である。なお、図５と同一の処理については、同一の符号を付してその説明を省略する。
【０１２６】
囲領域に基づいて付箋画像データを取得した後（ステップＳ１１４）、囲領域の領域外に対するタッチ操作があったか否かを判定する（ステップＳ５２２）。ここで、領域外のタッチ操作があった場合は取得した付箋画像データをキャンセルし、表示装置２０に付箋画像データを送信しない（ステップＳ５２４）。
【０１２７】
他方、領域外にタッチ操作が検出されなかった場合には、取得した付箋画像データを送信する（ステップＳ５２２；Ｎｏ→ステップＳ１１６）。なお、領域外に対するタッチ操作が有ったか否かの判定は、所定時間内にタッチされたか否かで判定する。例えば、３秒以内にタッチされなかった場合には、ステップＳ５２２はＮｏとして、取得した付箋画像データを表示装置２０に送信する。
【０１２８】
本実施形態における動作例を図１７に示す。図１７（ａ）は、囲領域Ｒ５２０により、手書き文字列Ｂ５２０が選択されている。この時点で、利用者が囲領域Ｒ５２０の領域外のＰ５２０をタッチする（タップ操作する）と、囲領域Ｒ５２０により選択された付箋画像データがキャンセルされる。
【０１２９】
すなわち、図１７（ｂ）に示すように、表示装置２０には付箋データがキャンセルされたことにより表示されていない。
【０１３０】
このように、本実施形態によれば、囲領域により付箋画像データが選択された後に利用者が付箋画像データをキャンセルすることができる。これにより、例えば、不要な図形を選択してしまった場合でも、キャンセルすることにより、表示装置に表示させないことが可能となる。
【０１３１】
［９．第９実施形態］
第９実施形態について説明する。第９実施形態は、ストローク情報から付箋選択入力ではなく、通常の図形入力に切り替える実施形態である。
【０１３２】
本実施形態は、上述した実施形態と組み合わせて説明することができるが、例えば、第８実施形態と組み合わせた場合について説明する。
【０１３３】
すなわち、第８実施形態、図１６のステップＳ５２４において付箋画像データをキャンセルする処理を実行しているが、このとき、ストローク情報に基づいて端末装置１０上で実際に線図を描画しても良い。
【０１３４】
この場合の動作例を図１８に示す。図１８（ａ）は、第８実施形態の図１７（ａ）と同様であり、手書き文字列Ｂ５２０の周りを囲領域Ｒ５２０で選択している。そして、囲領域Ｒ５２０の領域外のＰ５２０が利用者によりタッチされている。
【０１３５】
この場合、図１８（ｂ）に示すように、囲領域Ｒ５２０は、そのまま線図である図形Ｂ５２２として表示されている。すなわち、付箋選択入力のストローク情報が、そのまま図形描画のストローク情報として利用されることとなる。
【０１３６】
このように、本実施形態によれば、付箋選択入力と、図形の描画入力とを切り替えて利用者は入力することができる。この切替えは、他の実施形態と組み合わせても良い。例えば、囲領域の形状によって切り替えても良いし、囲領域の属性によって切り替えても良い。また、第７実施形態において、囲領域内がタッチされた場合が図形の描画入力（すなわち付箋画像データが送信されない）とし、何もされない場合に付箋画像データが送信されるという構成としても良い。
【０１３７】
［１０．第１０実施形態］
第１０実施形態について説明する。第１０実施形態は、囲領域で図形を選択した後に、メニュー表示を行って動作を行う実施形態である。
【０１３８】
本実施形態の動作例について、図１９を参照して説明する。図１９（ａ）は、手書き文字列Ｂ６００を、囲領域Ｒ６００により選択した場合の図である。このとき、端末装置１０の表示画面にはメニュー表示Ｍ６００がされている。
【０１３９】
ここで利用者により、メニュー表示Ｍ６００に表示されているメニューからこの後の動作を選択することにより、付箋画像データに対する挙動が決定する。例えば、「付箋転送」を選択した場合には、図１９（ｂ）に示すように、付箋データＨ６００が表示される。
【０１４０】
このときの付箋データの属性についてはメニューから選択して設定されることとしても良い。また描画処理や、画像転送といった種々の挙動が選択できることとしても良い。
【０１４１】
このように、本実施形態によればメニュー表示を利用することにより、付箋画像データに対する挙動を利用者が複数選択するといったことが可能となる。
【０１４２】
［１１．第１１実施形態］
第１１実施形態について説明する。第１１実施形態は、囲領域の中に図形が含まれている場合に付箋画像データと認識する場合について説明する。
【０１４３】
上述実施形態では、囲領域に含まれている図形を取得し、付箋画像データとしていた。例えば、第１実施形態における図５では、ステップＳ１１４において、囲領域に基づいて付箋画像データを取得していた。
【０１４４】
ここで、囲領域の中に図形データが含まれていない場合には、付箋画像データは取得されないこととしても良い。
【０１４５】
すなわち、ステップＳ１１４において、囲領域に基づいて、囲領域に含まれる図形データを取得する。この場合、囲領域に図形データが含まれていない場合には、付箋選択入力がキャンセルされることにする。すなわち、この場合付箋画像データは取得されず、表示装置２０にも送信されないこととなる。
【０１４６】
また、付箋画像データが取得されない場合、囲領域として入力されたストローク情報に基づいて線分を描画しても良い。
【０１４７】
このような構成とすることで、図形が含まれている箇所を囲むように選択することで、付箋データが表示装置で表示され、図形が含まれていない場合には線分が描画されることとなる。
【０１４８】
［１２．第１２実施形態］
第１２実施形態について説明する。第１２実施形態は、端末装置１０から付箋画像データを送信するときに、端末装置１０が保有している情報が送信される実施形態である。
【０１４９】
例えば、端末装置１０には、種々の情報が記憶されている。例えば、端末装置１０が保有する情報としては、ＩＰアドレスや、端末装置固有の識別情報といった設定情報や、ログイン名（ユーザ名）や、手書き入力したユーザ名等の利用者情報といった種々の情報が記憶されている。なお、設定情報及び利用者情報を併せて端末装置１０の環境情報として以下説明する。
【０１５０】
これらの、端末装置１０に記憶されている環境情報を、第１実施形態のステップＳ１１６で表示装置２０に送信する。
【０１５１】
ここで、環境情報は、予め記憶されている情報であっても良いし、利用者が設定・記憶する情報であっても良い。また、端末固有情報（端末の製造識別情報、ＭＡＣアドレス等）のように、工場出荷時に設定されている情報であってもよい。
【０１５２】
また、ログイン情報の他にも、手書き入力図形に紐付けられた利用者情報（ユーザ名）であっても良い。この利用者情報は、端末のログイン情報であったり、入力装置（例えばタッチペン等）に紐付けられている情報であっても良い。
【０１５３】
これらの環境情報が表示装置２０に送信されることにより、ステップＳ１５２において、環境情報といった端末装置１０が保有している情報に基づいて、付箋の色を変えたり、付箋の大きさ、透過率を変えるといった属性を変えることが可能となる。
【０１５４】
［１３．第１３実施形態］
第１３実施形態について、説明する。第１３実施形態は、第１２実施形態において、付箋画像データとともに送信された属性情報や、環境情報に基づいて、表示装置２０で表示形態を変更する実施形態である。
【０１５５】
具体的には、表示装置２０は、属性に基づいて表示したりすることを選択できたり、環境情報を表示する（例えば、利用者名を付箋データと併せて表示したりする）ことを行う。例えば、付箋データと併せてユーザ名を表示したり、送信された端末のＩＰアドレスや、マシン名等を表示したりする。
【０１５６】
これらの、属性の有効／無効の切替えや、環境情報の表示／非表示の切り替えは、表示装置２０で行うことが可能である。
【０１５７】
本実施形態における動作例を、図２０に示す。図２０（ａ）は、環境情報を「ＯＮ」としている場合の表示装置２０を示す図である。例えば、領域Ｒ７００により、利用者表示が「ＯＮ」に設定されている。
【０１５８】
この場合、付箋データＨ７００の近傍に利用者名「Ａ」が表示されている。また、付箋データ７１０の近傍には利用者名「Ｂ」が表示されている。
【０１５９】
このとき、領域Ｒ７００の選択を操作することにより、利用者表示を「ＯＦＦ」にした場合が図２０（ｂ）である。図２０（ｂ）では、付箋データＨ７００、付箋データＨ７１０の近傍に利用者名は表示されていない。
【０１６０】
このように、本実施形態によれば、環境情報の表示／非表示を、表示装置２０において行うことが可能となる。なお、環境情報の表示／非表示の切替えは、端末装置１０が行ってもよい。また、例えば、全体の設定としての表示／非表示を切り替えても良いし、付箋データ毎に切り替えても良い。また、囲領域の形によって、表示／非表示を切り替えても良い。
【０１６１】
［１４．第１４実施形態］
第１４実施形態について説明する。第１４実施形態では、環境情報や属性を利用して、付箋データの表示／非表示を切り替える実施形態である。
【０１６２】
例えば、付箋データ毎に属性や、環境情報がそれぞれ記憶されている。そこで、利用者により、表示したい付箋データを一括で選択して表示したり、非表示とするといったことが可能である。
【０１６３】
本実施形態における動作例を図２１に示す。図２１では、囲領域Ｒ８００において、表示される付箋データが選択されている。具体的には、利用者Ａの付箋データを表示し、利用者Ｂの付箋データを非表示と選択されている。
【０１６４】
この場合、例えば、図２０（ａ）と比較すると、利用者Ａが環境情報として記憶されている付箋データＨ８００は表示されているが、利用者Ｂが環境情報として記憶されている付箋データは表示されていない。
【０１６５】
なお、上述した実施形態では、環境情報を例に説明したが、例えば、色や形といった付箋データの属性を指定して表示／非表示を切り替えても良い。また、表示／非表示の切替えは、端末装置１０から切り替えることとしても良い。
【０１６６】
更に、環境情報や属性のうち、複数を組み合わせても良い。例えば、Ａさんの重要度が高い付箋データや、Ｂさんの赤の付箋データといった組み合わせで表示／非表示を切り替えても良い。
【０１６７】
［１５．第１５実施形態］
第１５実施形態について説明する。上述した実施形態の説明では、端末装置１０と、表示装置２０とが通信を行う場合について説明したが、端末装置１０又は表示装置２０単体で処理を実行する場合についての実施形態について説明する。
【０１６８】
図２２は、端末装置１０又は表示装置２０で実行される処理を説明するための処理フローである。第２実施形態の動作を、各装置だけで実現するための処理である。なお、図２２の処理を実行する装置において、図７で示した記憶部のデータを記憶しているものとする。
【０１６９】
また、図９に示した処理フローと同一の処理については同一の符号を付して、その説明を省略する。図９では、付箋データ（付箋画像データ、付箋データ属性）を取得（認識）するのが端末装置１０であって、付箋データを表示するのが表示装置２０であったが、図２２の処理は同一の装置で実現される。
【０１７０】
すなわち、表示されている図形の中から、手書き入力により、囲ったストロークの形状から、付箋データの属性を判定する（ステップＳ１０２；Ｙｅｓ→Ｓ１０４→Ｓ１０６→Ｓ１０８；Ｙｅｓ→Ｓ１１０→Ｓ１１２；Ｙｅｓ→Ｓ２０２→Ｓ２０４）。そして、囲領域に基づいて付箋画像データが取得される（ステップＳ１１４）。
【０１７１】
取得された付箋画像データを、付箋データに変換し（ステップＳ１５２）、付箋データの表示位置を決定する（ステップＳ１５４）。また、付箋データ属性を決定すると（ステップＳ２５４）、付箋データを表示する（ステップＳ２５６）。
【０１７２】
ここで、付箋データとして表示されるのは、もとの選択された図形を置き換えて表示しても良いし、更に表示（例えば、別領域）に表示しても良い。例えば、図２３は、端末装置１０で実現した場合の画面例の一例である。
【０１７３】
図２３（ａ）で示したように、手書き文字列Ｂ８００を、囲領域Ｒ８００で選択した場合の図である。このとき、図２３（ｂ）のように、手書き文字列Ｂ８００が、付箋データＨ８００として置き換わって表示されている。
【０１７４】
図２４（ａ）では、手書き文字入力エリアと、図形表示エリア（付箋データ表示エリア）とが分かれている状態の図である。例えば、手書き文字列Ｂ８５０が、表示画面下部の手書き文字入力エリアに入力・表示されている。
【０１７５】
ここで、手書き文字列Ｂ８５０が閉領域Ｒ８５０により選択されることで、付箋データＨ８５０が表示される。このとき、手書き文字列Ｂ８５０とは別に付箋データＨ８５０が表示されることとなる。なお、上述した実施形態で説明したように、例えば図２４（ｂ）の付箋データＨ８５０には、入力者（所有者）の名称として、例えば「Ａさん」と表示させることも可能である。
【０１７６】
このように、本実施形態によれば、同一の装置であっても、同様の処理を実行することが可能となる。なお、本実施形態では第２実施形態のフローを置き換えて説明したが、他の実施形態においても、付箋画像データ及び付箋データ属性を判定し、付箋画像データ及び付箋データ属性に基づいて表示することが可能なことは勿論である。
【０１７７】
また、説明の都合上、付箋データに変換することとして説明しているが、例えば、付箋画像データと、付箋データの属性とに基づいて直接表示しても良いことは勿論である。
【０１７８】
［１６．第１６実施形態］
第１６実施形態について説明する。第１５実施形態に加えて、一度付箋データとして記憶する実施形態について説明する。
【０１７９】
図２５及び図２６は、端末装置１０又は表示装置２０で実行される処理を説明するための処理フローである。第２実施形態の動作を、各装置だけで実現するための処理である。なお、図２５及び図２６の処理を実行する装置において、図７で示した記憶部のデータを記憶しているものとする。
【０１８０】
また、図９に示した処理フローと同一の処理については同一の符号を付して、その説明を省略する。図９では、付箋データ（付箋画像データ、付箋データ属性）を取得（認識）するのが端末装置１０であって、付箋データを表示するのが表示装置２０であったが、図２５と、図２６の処理は同一の装置で実現される。
【０１８１】
すなわち、図２５の処理が実行されると、利用者の操作により、付箋画像データと、付箋データ属性とが取得され（ステップＳ１０２〜Ｓ１１４）、付箋画像データ及び付箋データ属性とが記憶される（ステップＳ６０２）。
【０１８２】
また、図２６の処理が実行されると、ステップＳ６０２により記憶されている付箋画像データ及び付箋データ属性とを読み出して（ステップＳ６５２）、付箋データに変換されて表示される（ステップＳ１５２〜ステップＳ２５６）。
【０１８３】
このように、本実施形態によれば、同一の装置であっても、同様の処理を実行することが可能となる。なお、本実施形態では第２実施形態のフローを置き換えて説明したが、他の実施形態においても、付箋画像データ及び付箋データ属性を端末装置に記憶し、当該記憶された付箋画像データ及び付箋データ属性に基づいて表示することが可能なことは勿論である。
【０１８４】
また、一度付箋データを記憶させることで、異なるプログラム、プロセス上で付箋データのやり取りをするといったことが可能となる。また、付箋データの記憶先として、外部記憶装置（例えば、ＵＳＢメモリ等）を指定することで、直接接続されていない他の装置で表示させることが可能となる。
【０１８５】
［１７．第１７実施形態］
第１７実施形態について説明する。第１７実施形態は、上述した実施形態に加えて、付箋データの送信するタイミングについて異なる場合について説明するものである。
【０１８６】
すなわち、上述した実施形態（例えば、第１実施形態）では、図形を囲む操作をトリガーとして付箋データを送信することとしたが、記入後一定時間無操作状態が継続したことをもって図形が特定され、特定された図形が付箋データとして送信される。
【０１８７】
この場合、前回に一定時間無操作状態が継続したタイミングからのデータが収まる領域を矩形領域として切り出し、付箋データとして送信する。本実施形態の処理について、図２７を用いて説明する。なお、図２７は、図５の処理フローを置き換えたものであり、同一の処理には同一の符号を付し、説明を省略する。
【０１８８】
ストローク情報が記憶されたあと、一定時間が経過したか否かを判定する（ステップＳ７０２）。ここで、一定時間が経過した場合には、付箋画像データとなる矩形領域の座標を取得する（ステップＳ７０４）。そして、矩形領域の位置が所定の領域内である場合には（ステップＳ７０６；Ｙｅｓ）、矩形領域に基づいて付箋画像データを取得する（ステップＳ７０８）。
【０１８９】
例えば、図６の例によれば「アイデア」と手書きを行った後に一定時間無操作状態を継続させることによって、「アイデア」と記載された部分が収まる形に矩形領域を切り出す。この矩形領域の切り出しにおいては、当該手書きが収まる矩形領域で切り出してもよいし、手書き文字の傾きを考慮して、切り出す矩形領域の角度を調整するなどしても構わない。矩形領域の調整を行うことで矩形Ｒ１００と同等のデータが生成されることになる。
【０１９０】
また、ステップＳ７０２において付箋判定ＯＮとは、通常の手書き入力と付箋データの入力の区別が必要となるため、通常の手書き入力と、付箋データの入力で、入力モードを変えるなどの操作を行ってもよい。付箋データの入力モードが「ＯＮ」になっていたり、付箋データ入力用のペンモードが選択された後に手書き入力されたりした場合に、付箋判定がＯＮとなる。そして、付箋判定がＯＮの場合には、付箋画像データが取得される。
【０１９１】
具体的には、通常の手書き入力を行うモード（手書き入力モード）と、付箋データに変換可能な手書き入力を行うモード（付箋データ入力モード）とが選択可能である。ここで、付箋データ入力モードが選択され、手書き入力が行われると、本実施形態の処理が実行される。すなわち、手書き入力後、所定時間が経過後に付箋データ（付箋画像データ）に変換される。ここで、通常の入力モードである手書き入力モードで入力された手書き入力は、所定時間が経過しても付箋データ（付箋画像データ）に変換されない。このように、特定の入力モードとして、例えば付箋データ入力モードが選択された場合には、付箋データに変換される。
【０１９２】
そして、例えば第１実施形態で説明した様に、入力された図形を囲む（ストロークにより囲領域が形成される）と、付箋データ（付箋画像データ）に変換される。なお、本実施形態においても、入力された図形を囲む動作により、所定時間経過前に付箋データに変換するという動作としてもよい。
【０１９３】
なお、付箋判定ＯＮは、付箋データの入力用モードの切り替えであっても良いし、モードＯＮスイッチ等であってもよい。また、所定の操作（例えば、ペンのボタンを押しながら操作する、片手でタッチしつつ手書き入力を行う、２本指で操作する）の場合には、付箋判定がＯＮと判定されてもよい。
【０１９４】
また、システムによっては、所定領域に入力された場合は全て付箋画像データと判定しても良いし、手書き入力されたものは全て付箋画像データに変換しても良い。
【０１９５】
また、上述した実施形態では「矩形領域」として説明しているが、囲領域（閉じられた領域）であれば良く、円形、楕円形、三角形、台形といった種々の形でもよい。また、利用者が領域の形を設定してもよい。
【０１９６】
［１８．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１９７】
また、上述した実施形態では、端末装置１０から付箋画像データを表示装置２０に送信することとして説明したが、送信先の端末は表示装置でなくても良い。例えば、画像形成装置に送信することにより、印刷したり、ＰＤＦとして保存したりすることとしても良い。
【０１９８】
また、当該付箋画像データを、メールで送信することとしてもよいし、ＳＮＳに送信する（アップロードする）こととしても良いし、クラウドに保存することとしても良い。また、選択された付箋データを、記録媒体に保存することとしても良い。
【０１９９】
また、実施形態でも説明したが、画像表示装置として端末装置、表示装置として説明したが、同一の装置で構成することも可能である。また、端末装置と、表示装置とをクラウドを介して接続しても良いことは勿論である。
【０２００】
クラウドを利用する場合は、端末装置から付箋画像データをクラウドサーバを介して表示装置に送信することとしても良い。また、端末装置、表示装置の一部の処理をクラウドサーバで処理を実行することとしても良い。
【０２０１】
また、各機能はプログラムで構成されていても良いし、ハードウェアで構成されても良い。そして、プログラムで実現されている場合は、記録媒体に記録されており、当該記録媒体からプログラムを読み出して実行しても良いし、ネットワークに保存され、ダウンロードして実行しても良い。
【０２０２】
また、上述した実施形態では、タッチ検出部として操作をタッチパネルとし、タッチ操作（タップ操作）を例に説明したが、例えばマウス等の外部入力装置で、クリック操作等により操作が行われてもよい。
【０２０３】
また、上述した実施形態では、表示装置は、表示部と、操作入力部とを備えている例を説明したが、本実施形態に開示した発明を実施するためには、他の方式であってもよい事は勿論である。例えば、表示部２１０としてプロジェクタを利用し、操作入力部２２０として人感センサを利用してもよい。そして、操作入力部２２０、表示部２１０に制御用のコンピュータを接続することにより、表示システムとして実現されてもよい。
【０２０４】
また、上述した実施形態は、説明の都合上、それぞれ別に説明している部分があるが、技術的に可能な範囲で組み合わせて実行してもよいことは勿論である。例えば、第１７実施形態の操作を、他の実施形態と組み合わせて実行してもよい。
【０２０５】
このように、本明細書に記載した各実施形態は、矛盾の無い範囲で組み合わせて実行することができる。
【０２０６】
また、上述した実施形態において、領域を選択することで領域を特定することとして説明している。ここで、領域を特定する方法としては、選択以外にも入力や、判定といった種々の方法が含まれるものとする。
【０２０７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０２０８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０２０９】
１  画像表示システム
１０  端末装置
１００  制御部
１１０  表示部
１２０  タッチ検出部
１３０  画像処理部
１４０  通信部
１５０  記憶部
１５２  図形データ
１５４  付箋画像データ
２０  表示装置
２００  制御部
２１０  表示部
２２０  操作入力部
２４０  通信部
２５０  記憶部
２５２  図形データ
２５４  付箋画像データ
２５６  付箋データ
【図１】
2018026117.tif 000003
【図２】
2018026117.tif 000004
【図３】
2018026117.tif 000005
【図４】
2018026117.tif 000006
【図５】
2018026117.tif 000007
【図６】
2018026117.tif 000008
【図７】
2018026117.tif 000009
【図８】
2018026117.tif 000010
【図９】
2018026117.tif 000011
【図１０】
2018026117.tif 000012
【図１１】
2018026117.tif 000013
【図１２】
2018026117.tif 000014
【図１３】
2018026117.tif 000015
【図１４】
2018026117.tif 000016
【図１５】
2018026117.tif 000017
【図１６】
2018026117.tif 000018
【図１７】
2018026117.tif 000019
【図１８】
2018026117.tif 000020
【図１９】
2018026117.tif 000021
【図２０】
2018026117.tif 000022
【図２１】
2018026117.tif 000023
【図２２】
2018026117.tif 000024
【図２３】
2018026117.tif 000025
【図２４】
2018026117.tif 000026
【図２５】
2018026117.tif 000027
【図２６】
2018026117.tif 000028
【図２７】
2018026117.tif 000029